(57)【要約】【課題】商用電力の供給と計量を継続しつつ充電部の露出を回避しての電力量計の交換を可能にすることにより、電力量計の交換作業をミスなく容易かつ安全にすることのできる電力量計の接続アダプタを提供すること。【解決手段】配電線201〜203と引込電線204〜206の間に設置される電力量計に接続する接続アダプタ10であって、電力量計側に接続する導体ブロック21と、電線側を接続する導体ブロック22と、別個の電力量計を接続する導体ブロック23と、これらの間の導通を接断するとともに互いの間が導通されている接断プレート25、26と、を備えており、接断プレート25、26は、導体ブロック21、22間を導通させる定常接続モードと、導体ブロック21〜23間を導通させる並列接続モードと、導体ブロック22、23間を導通させる仮接続モードと、のいずれかに選択切換する。【選択図】図１
2011209304.tif 000002
【特許請求の範囲】
【請求項１】
電源からの商用電力を消費先に供給する配電線に設置されて当該消費電力を積算する電力量計に接続する接続アダプタであって、
電力量計側に接続する計器側端子と、配電線側を接続する電線側端子と、別個の回路を導通接続される別回路側端子と、これら端子間の導通を接断する接断手段と、を備えており、
該接断手段は、計器側端子および電線側端子の間を導通させる定常接続モードと、計器側端子、電線側端子および別回路側端子の間を導通させる並列接続モードと、電線側端子および別回路側端子の間を導通させる仮接続モードと、のいずれかに選択切換するスイッチ形態に設計されていることを特徴とする電力量計の接続アダプタ。
【請求項２】
前記各種端子および接断手段は、定常接続モードと仮接続モードとの間で並列接続モードを経由して切換接続を実行する位置関係に配設されていることを特徴とする請求項１に記載の電力量計の接続アダプタ。
【請求項３】
前記電力量計が、商用電力を供給する電源側配電線と、該商用電力を消費する負荷装置に接続する引込側配電線と、の間に介装されて当該消費電力を積算するタイプの場合であって、
前記電線側端子の入力側および出力側のそれぞれの対応する位置に配設されて当該入力側と出力側の間を導通されている電線側短絡端子を別回路側端子とは別に備えており、
前記接断手段は、電線側端子および電線側短絡端子の間を導通させて当該電線側端子の入力側と出力側の間を導通接続させて短絡させる短絡接続モードを選択切換可能に設計されていることを特徴とする請求項１または請求項２に記載の電力量計の接続アダプタ。
【請求項４】
前記各種端子および接断手段は、少なくとも定常接続モード、並列接続モードまたは仮接続モードのいずれかと同時に短絡接続モードを実行した後に、該短絡接続モードのみに移行する切換接続の可能な位置関係に配設されていることを特徴とする請求項３に記載の電力量計の接続アダプタ。
【請求項５】
前記各種端子は、電線を接続する接続部に導通して該接続部と共にケース内に内装されて、
該ケースは、接続部への電線の接続方向に対する水平方向にスライド可能に取り付けられているスライド部材を備えて、
前記接断手段は、該スライド部材と一体に設置されて当該スライド部材を水平方向にスライドさせることにより各種端子間を接断することを特徴とする請求項１から請求項４のいずれか一項に記載の電力量計の接続アダプタ。
【請求項６】
前記ケースは、定常接続モードの切換位置にスライド部材をケース本体に固定する固定手段を備えており、
該固定手段は、該定常接続モード以外の各モードの切換位置にもスライド部材を位置決め固定可能に設計されていることを特徴とする請求項５に記載の電力量計の接続アダプタ。
【請求項７】
電源からの商用電力を消費先に供給する配電線に設置されて当該消費電力を積算する電力量計であって、
配電線側に接続する電線側端子を配列されている接続端子台に、上記請求項１から請求項６のいずれか一項に記載の接続アダプタの機構が組み込まれており、
前記計器側端子は電力量計の本体部に接続されていることを特徴とする電力量計。
【発明の詳細な説明】
【技術分野】
【０００１】
本発明は、電力量計およびその接続アダプタに関し、詳しくは、電力量計の交換作業を安全かつ容易にするものに関する。
【背景技術】
【０００２】
従来、各家庭などの負荷装置に供給する商用電力は、その負荷装置の稼動による電力消費を電力量計により積算計測（計量）することによって課金することが行われており、この電力量計は、定期的に交換する必要がある。
【０００３】
この電力量計は、商用電力を供給する配電線に直接接続されており、その交換作業は、商用電力の供給を停止した上で行っていた。しかるに、商用電力の供給先によっては、停電させるタイミングを作ることが難しいことから、電力供給を停止することなく、電力量計を交換することを実現する無停電交換端子台（接続アダプタ）が提案されている（例えば、特許文献１参照）。
【先行技術文献】
【特許文献】
【０００４】
【特許文献１】特開２００４−９５４０７号公報
【発明の開示】
【発明が解決しようとする課題】
【０００５】
しかしながら、このような従来の電力量計の無停電交換にあっては、電力量計に接続する接続端子間を短絡させることにより、商用電力の供給を確保した上で、その電力量計を交換することを実現している。このため、このような電力量計の無停電交換では、その交換作業中に、電力供給を継続する電線側に導通状態の接続端子が、所謂、充電部として露出する状態になって、感電や地絡短絡などを発生させてしまう可能性があり、危険である。
【０００６】
また、このような電力量計の無停電交換では、電力量計に導通接続する接続端子を短絡させることから、電力量計を経由することなく、商用電力の供給を継続することになり、その電力量計の交換作業中に消費される電力量を計量することができない、という不都合があった。
【０００７】
さらに、電力量計の交換は、接断するタイミングを誤ってしまうと、電力供給が一時的に遮断されてしまうなど、不具合が発生してしまうことから、専門性が要求されて誰もが作業することができるわけではない、という煩わしさがあった。
【０００８】
そこで、本発明は、所謂、充電部の露出を回避するとともに商用電力の供給を継続しつつ電力量計の交換作業を行い得るようにするのと同時に、この電力量計の交換作業中の電力消費についても積算計測することを可能にして、ミスなく容易かつ安全に電力量計の交換作業を行うことのできる電力量計自体やその接続アダプタを提供することを目的とする。
【課題を解決するための手段】
【０００９】
上記課題を解決する電力量計の接続アダプタの第１の発明は、電源からの商用電力を消費先に供給する配電線に設置されて当該消費電力を積算する電力量計に接続する接続アダプタであって、電力量計側に接続する計器側端子と、配電線側を接続する電線側端子と、別個の回路を導通接続される別回路側端子と、これら端子間の導通を接断する接断手段と、を備えており、該接断手段は、計器側端子および電線側端子の間を導通させる定常接続モードと、計器側端子、電線側端子および別回路側端子の間を導通させる並列接続モードと、電線側端子および別回路側端子の間を導通させる仮接続モードと、のいずれかに選択切換するスイッチ形態に設計されていることを特徴とするものである。
【００１０】
この発明では、接断手段を定常接続モードに選択切換することにより配電線から負荷装置などに供給される電力消費を電力量計により積算することができる。また、並列接続モードに選択切換することにより同様に電力消費を電力量計により積算することができるとともに別回路を接続することもでき、例えば、別回路として別個の電力量計を並列接続して電力消費を分配して積算計測することもできる。さらに、仮接続モードに選択切換することにより計器側端子を配線線から切り離して、別回路に接続した電力量計で電力消費を積算計測することもできる。したがって、スイッチ形態の接断手段を切換操作するだけで、別個の電力量計で電力消費を積算計測しつつ、電力量計に接続する端子部が配電線から切り離されて充電部にならない状態でその交換作業を行うことができる。
【００１１】
上記課題を解決する電力量計の接続アダプタの第２の発明は、上記第１の発明の特定事項に加え、前記各種端子および接断手段は、定常接続モードと仮接続モードとの間で並列接続モードを経由して切換接続を実行する位置関係に配設されていることを特徴とするものである。
【００１２】
この発明では、定常接続モードと仮接続モードとの間で並列接続モードが連続するように各種端子間の接断を行うことができ、電力量計が配電線側に接続されていないタイミングがないように、その接断を行うことができる。したがって、電力量計の交換作業中の電力消費をより確実に積算計測することができる。
【００１３】
上記課題を解決する電力量計の接続アダプタの第３の発明は、上記第１または第２の発明の特定事項に加え、前記電力量計が、商用電力を供給する電源側配電線と、該商用電力を消費する負荷装置に接続する引込側配電線と、の間に介装されて当該消費電力を積算するタイプの場合であって、前記電線側端子の入力側および出力側のそれぞれの対応する位置に配設されて当該入力側と出力側の間を導通されている電線側短絡端子を別回路側端子とは別に備えており、前記接断手段は、電線側端子および電線側短絡端子の間を導通させて当該電線側端子の入力側と出力側の間を導通接続させて短絡させる短絡接続モードを選択切換可能に設計されていることを特徴とするものである。
【００１４】
この発明では、電源側配電線と引込側配電線との間に介装されて消費電力を積算するタイプの電力量計にも適用して、同様に、接断手段を定常接続モードや並列接続モードや仮接続モードに選択切換することにより、電源側配電線から引込側配電線に供給される電力消費を単独で、あるいは、分配して積算計測することができる。また、短絡接続モードに選択切換することにより、電線側端子の入力側の電源側配電線と出力側の引込側配電線を電線側短絡端子に導通接続させて短絡させることもでき、別個の電力量計を並列接続して電力消費を分配積算するまでもない場合、あるいは、別個の電力量計を準備していない場合にも、配電線から商用電力の供給を確保した状態にして電力量計を交換することができる。したがって、スイッチ形態の接断手段を切換操作するだけで、電力量計に接続する端子部を配電線から切り離して充電部にならない状態にしつつ、多様な電力量計の交換作業を行うことができる。
【００１５】
上記課題を解決する電力量計の接続アダプタの第４の発明は、上記第３の発明の特定事項に加え、前記各種端子および接断手段は、少なくとも定常接続モード、並列接続モードまたは仮接続モードのいずれかと同時に短絡接続モードを実行した後に、該短絡接続モードのみに移行する切換接続の可能な位置関係に配設されていることを特徴とするものである。
【００１６】
この発明では、定常接続モード、並列接続モード、あるいは、仮接続モードとの間で短絡接続モードが連続するように各種端子間の接断を行うことができ、商用電力の供給が途絶えるタイミングがないように、その接断を行うことができる。したがって、商用電力の供給を確実に確保しつつ電力量計の交換作業を行うことができる。
【００１７】
上記課題を解決する電力量計の接続アダプタの第５の発明は、上記第１から第４いずれかの発明の特定事項に加え、前記各種端子は、電線を接続する接続部に導通して該接続部と共にケース内に内装されて、該ケースは、接続部への電線の接続方向に対する水平方向にスライド可能に取り付けられているスライド部材を備えて、前記接断手段は、該スライド部材と一体に設置されて当該スライド部材を水平方向にスライドさせることにより各種端子間を接断することを特徴とするものである。
【００１８】
この発明では、各端子を内装するケースの前面側などの一面を構成するスライド部材をスライドさせるだけで、各種端子間の接続を接断して各種モードを選択切換することができる。したがって、複数本分の端子間の接断を一括して行うことができ、そのタイミングを誤らないように接断する作業を容易化するとともに安全に行うことができる。
【００１９】
上記課題を解決する電力量計の接続アダプタの第６の発明は、上記第５の発明の特定事項に加え、前記ケースは、定常接続モードの切換位置にスライド部材をケース本体に固定する固定手段を備えており、該固定手段は、該定常接続モード以外の各モードの切換位置にもスライド部材を位置決め固定可能に設計されていることを特徴とするものである。
【００２０】
この発明では、各種モードの選択切換をするスライド部材をそのモード毎に位置決め固定することができる。したがって、スライド部材が不用意にスライドしてしまって他のモードに移行してしまうことを防止することができ、安全に電力量計の交換作業を行うことができる。
【００２１】
上記課題を解決する電力量計の第１の発明は、電源からの商用電力を消費先に供給する配電線に設置されて当該消費電力を積算する電力量計であって、配電線側に接続する電線側端子を配列されている接続端子台に、上記の第１から第６のいずれかの発明の接続アダプタの機構が組み込まれており、前記計器側端子は電力量計の本体部に接続されていることを特徴とするものである。
【００２２】
この発明では、接続アダプタとして準備することなく、上記の各種モードを選択可能な接続端子台が予め取り付けられており、スイッチ形態の接断手段を切換操作するだけで、電力量計に接続する端子部を配電線から切り離すことにより、充電部にならない状態にするとともに、商用電力の供給を確保しつつ、あるいは、別個の電力量計で電力消費を積算計測しつつ、その電力量計の交換作業をすることができる。
【００２３】
ここで、前記接断手段は、スライド部材のスライド方向に延在するとともに該スライド部材の内面に対して直交する姿勢に当該スライド部材に設置されている導電性板材を備える一方、前記各種端子が、該導電性板材をスライド可能に圧接接触して導通接続可能な端子形状に形成されている、所謂、ナイフスイッチを変形した構造に設計してもよく、このような構造を採用することにより容易に端子間の接断動作を実現することができる。
【００２４】
また、前記計器側端子と電線側端子は、互いにスライド部材のスライド方向に離隔する位置に配設されているとともに、前記別回路側端子は、電線側端子に隣接する位置に配設される一方、前記導電性板材は、計器側端子と電線側端子の離隔方向に延在して該端子同士の間の導通接触を接断する主接断部と、該主接断部と平行に延在して別回路側端子との間の導通接触を接断する副接断部と、を備えており、副接断部が別回路側端子に導通接触した後に主接断部は計器側端子から離隔する一方、主接断部が計器側端子に導通接触した後に副接断部は別回路側端子から離隔するように設計することにより、上記の定常接続モードや並列接続モードや仮接続モードの各種モード間を空白期間なくスムーズに移行させることができる。
【００２５】
さらに、前記電力量計が、商用電力を供給する電源側配電線と、該商用電力を消費する負荷装置に接続する引込側配電線と、の間に介装されて当該消費電力を積算計測するタイプの場合には、前記電線側端子の入力側および出力側のそれぞれの対応する位置に配設されて当該入力側と出力側の間を導通されている電線側短絡端子が別回路側端子とは別に計器側端子の反対側で電線側端子に隣接する位置に配設される一方、前記導電性板材は、主接断部が該電線側短絡端子に導通接触した後に、計器側端子から離隔する、あるいは、副接断部が別回路端子から離隔するように設計されてることにより、上記の定常接続モードや並列接続モードや仮接続モードや短絡接続モードの各種モード間を空白期間なくスムーズに移行させることができる。
【発明の効果】
【００２６】
このように本発明によれば、スイッチ形態の接断手段を切換操作するだけで、電力量計に接続する端子部を配電線から切り離して、充電部にならない状態にするとともに、電力量計による商用電力の積算計測や、別個の電力量計による商用電力の積算計測や、並列接続した電力量計により分配する商用電力の積算計測などを実現することができる。したがって、電力量計の交換作業を電力の供給と計量を継続しつつミスなく容易かつ安全に行うことができる。
【図面の簡単な説明】
【００２７】
【図１】本発明に係る電力量計の接続アダプタの第１実施形態を示す図であり、その概略全体構成を示す透視平面図である。
【図２】その接続アダプタを取り付ける電力量計の一例を示す図であり、（ａ）はその外観平面図、（ｂ）はその外観側面図である。
【図３】その接続端子台を接続作業を可能に開放露出する状態を示す平面図である。
【図４】その接続アダプタの要部構造を示す図であり、（ａ）はその側面図、（ｂ）はその一部断面底面図である。
【図５】その接続アダプタの要部構造を示す縦断面である。
【図６】その要部構造の接続箇所の形状を示す拡大底面図である。
【図７】その接続アダプタの要部構造における接続状態を示す底面図である。
【図８】その図７と異なる接続状態を示す底面図である。
【図９】その図７および図８と異なる接続状態を示す底面図である。
【図１０】その図７〜図９と異なる接続状態を示す底面図である。
【図１１】その図５と異なる箇所の要部構造を示す平面図である。
【図１２】その図６と異なる接続箇所の形状を示す拡大底面図である。
【図１３】その図７〜図１０と異なる接続状態を示す底面図である。
【図１４】本発明に係る電力量計の接続アダプタの第２実施形態を示す図であり、（ａ）はその接続アダプタに付属する補助アダプタの概略全体構成を示す平面図、（ｂ）はその接続端子台に位置決め固定する取付構造を示すその（ａ）におけるＡ−Ａ透視側面図である。
【図１５】その補助アダプタに取り付けられている電線を示す平面図である。
【図１６】その補助アダプタのそれぞれ異なる位置に配設させている接続端子台の端子との導通接続を示す図であり、（ａ）は図１４（ａ）におけるＢ−Ｂ透視側面図、（ｂ）は図１４（ａ）におけるＣ−Ｃ透視側面図、（ｃ）は図１４（ａ）におけるＤ−Ｄ透視側面図である。
【発明を実施するための形態】
【００２８】
以下、本発明の実施形態を図面に基づいて説明する。図１〜図１３は、本発明に係る電力量計の接続アダプタの第１実施形態を示す図である。
【００２９】
図１において、接続アダプタ１０は、図２および図３に示す電力量計１００と、商用電源からの商用電力を供給する配電線（電源側配電線）２０１〜２０３と、その商用電力を消費する負荷装置の設置されている各家庭などに供給する引込電線（引込側配電線）２０４〜２０６と、に接続されており、配電線２０１〜２０３および引込電線２０４〜２０６の間に電力量計１００を介在させた状態にすることにより、商用電力の各家庭などの負荷装置への供給を確保するとともに、その負荷装置による電力消費を電力量計１００で積算計測（計量）することも実現する。
【００３０】
ここで、電力量計１００は、図２および図３に示すように、消費された供給電力を積算する本体部１０１と、商用電源と各家庭などの負荷装置との間の電線２０１〜２０６の途中に本体部１０１が介在するように接続する接続端子台１０２と、を備えている。この接続端子台１０２には、商用電源からの入力電線（配電線）２０１〜２０３を本体部１０１に接続する入力端子１１１〜１１３と、負荷装置側への出力電線（引込電線）２０４〜２０６を本体部１０１に接続する出力端子１１４〜１１６と、が配設されており、この接続端子台１０２の端子１１１〜１１６は、例えば、電線の先端側の被覆を剥いだ導電線を差込可能に下端面側に開口する不図示の差込穴に差し込んで２つの締付ネジ１２１、１２２でそれぞれ締め付けることにより導通接続させることができるようになっている。また、この接続端子台１０２は、絶縁カバー１０３を被せて覆うことにより端子１１１〜１１６が外部に露出して感電・短絡事故を起こさないように設計されており、その絶縁カバー１０３は、取付ネジ１０４をネジ穴１０５内に差し込んで螺合させることにより取り付けることができる。
【００３１】
接続アダプタ１０は、このような電力量計１００の接続端子台１０２の差込口の下部に位置して対面するように設置されており、その接続端子台１０２の端子１１１〜１１６のそれぞれに対応する接続ユニット１１が絶縁ケース１２内に設置されている。また、この接続アダプタ１０でも、接続ユニット１１の端子部分が外部に露出して導体などが不用意に差し込まれるなどすることにより感電・短絡事故を起こしてしまわないように、絶縁カバー１３（図４も参照）を被せて取付ネジ１３ａをネジ穴１２ａに差し込んで螺合させることにより閉止することができるようになっている。この絶縁カバー１３は、図示することは省略するが、例えば、絶縁ケース１２の両サイドに設置されているスライド溝内にスライド自在にリブ形状を差し込むことにより、電力量計１００の接続端子台１０２に向って接近または離隔する方向にスライドして水平移動することができるスライド部材に設計されており、取付ネジ１３ａをネジ穴１２ａに螺合させることにより取付固定するようになっている。なお、図１中には、片側のネジ穴１２ａのみに取付ネジ１３ａを螺合させている状態を図示しているが、ネジ穴１２ａを図示することが目的であり、両側のネジ穴１２ａに取付ネジ１３ａを螺合させることは言うまでもない。
【００３２】
接続ユニット１１は、絶縁ケース１２内に位置決め固定されている導電性材料よりなる導体ブロック２１〜２３と、絶縁カバー１３の内面側に取付られてスライド移動することによりこの導体ブロック２１〜２３間を導通接続またはその導通を遮断（切断）する接断プレート２５、２６と、をそれぞれ備えて構築されている。この接続ユニット１１は、電力量計１００の接続端子台１０２の端子１１１〜１１６と、商用電力を供給する電源側の配電線２０１〜２０３やその商用電力を供給する負荷装置側の引込電線２０４〜２０６との間に、それぞれ対応するように絶縁ケース１２内に並列する姿勢で位置決め固定されており、それぞれ隣接するもの同士の間の絶縁性を確保されている状態で絶縁ケース１２内に内装されている。
【００３３】
導体ブロック２１は、電力量計１００の接続端子台１０２の端子１１１〜１１６に対応する間隔で近接する側に位置決め固定されている。この導体ブロック２１は、図４（ａ）および図５に示すように、その端子１１１〜１１６と同様に、絶縁カバー１３のスライド方向から電線の導電線を差込可能な差込穴（接続部）２１ａが対向する端面に開口されており、その差込穴２１ａに差し込んだ導電線を２つの締付ネジ２８でそれぞれ締め付けることにより導通接続させることができる。
【００３４】
導体ブロック２２は、電力量計１００の接続端子台１０２の端子１１１〜１１６に対応する間隔で離隔する側に位置決め固定されている。この導体ブロック２２は、導体ブロック２１と同様に、図４（ａ）および図５に示すように、反対側端面に電線の導電線を差込可能な差込穴２２ａが開口されており、その差込穴２２ａに差し込んだ導電線を２つの締付ネジ２８でそれぞれ締め付けることにより導通接続させることができる。
【００３５】
導体ブロック２３は、その導体ブロック２２に対する絶縁性を確保する状態で隣接する位置に位置決め固定されている。この導体ブロック２３は、図５に示すように、その導体ブロック２２と同じ反対側端面に電線の導電線を差込可能な差込穴２３ａが開口されており、その差込穴に差し込んだ導電線を２つの締付ネジ２８でそれぞれ締め付けることにより導通接続させることができる。ここで、この導体ブロック２３は、電力量計１００の接続端子台１０２の入力端子１１１〜１１３や出力端子１１４〜１１６に対して内側に位置するように配置されることにより、導体ブロック２２に隣接する位置に並列されている。
【００３６】
接断プレート２５は、導体ブロック２１、２２の離隔方向に延在するように設置されており、その導体ブロック２１、２２の双方に導通接続する位置からその一方のみに導通接続する位置に移動可能に取り付けられている。
【００３７】
接断プレート２６は、接断プレート２５と平行な姿勢で延在するとともにその接断プレート２５に導通プレート２７を介して導通接続されており、接断プレート２５と同一方向に移動して導体ブロック２３に導通接続する位置とその導通接続状態から離脱する位置とに移動可能に取り付けられている。
【００３８】
これにより、導体ブロック２１には、電力量計１００の接続端子台１０２の端子１１１〜１１６に導通接続した電線２９の導電線を差込穴２１ａ内に差し込んで締付ネジ２８により締め付けることによりその入力端子１１１〜１１３と出力端子１１４〜１１６をそれぞれ導通接続させることができる。同様に、その電力量計１００の接続端子台１０２の入力端子１１１〜１１３に対応する位置の導体ブロック２２には、商用電力を供給する電源側の配電線２０１〜２０３の導電線を差込穴２２ａ内に、また、その接続端子台１０２の出力端子１１４〜１１６に対応する位置の導体ブロック２２には、その商用電力を供給する負荷装置側の引込電線２０４〜２０６の導電線を差込穴２２ａ内に、差し込んで締付ネジ２８により締め付けることによりそれぞれ導通接続させることができる。
【００３９】
また、導体ブロック２３には、導体ブロック２１に接続する電力量計１００とは別の回路装置に導通接続した電線３０の導電線を差込穴２３ａ内に差し込んで締付ネジ２８により締め付けることにより同様に導通接続させることができる。
【００４０】
したがって、接続ユニット１１は、接断プレート２５が導体ブロック２１、２２の双方に導通接続することにより、電力量計１００の本体部１０１を配電線２０１〜２０３と引込電線２０４〜２０６に導通接続させることができるとともに、その接断プレート２５を導体ブロック２１、２２の一方のみに導通接続させることによりその導通状態を遮断することができ、配電線２０１〜２０３と引込電線２０４〜２０６の間を接断することができる。この接続ユニット１１は、同時に、導通プレート２７を介して接断プレート２５と導通状態にある接断プレート２６を導体ブロック２３に導通接続あるいはその導通接続を遮断することができ、電力量計１００や配電線２０１〜２０３と引込電線２０４〜２０６に別回路を接断することができる。すなわち、導体ブロック２１が計器側端子を、導体ブロック２２が電線側端子を、また、導体ブロック２３が別回路側端子を構成しており、接断プレート２５、２６が接断手段を構成している。
【００４１】
具体的には、導体ブロック２１〜２３は、図４および図５に示すように、差込穴２１ａ〜２３ａ内に差し込んだ電線の導電線をネジ止めする締付ネジ２８の背面側に、接断プレート２５、２６の側面の両面に圧接して挟み込むことにより導通する一対の電極板２１ｂ〜２３ｂが立設されている。この電極板２１ｂ〜２３ｂは、図６に示すように、接断プレート２５、２６の移動方向側の両端辺が拡開することにより、離脱した接断プレート２５、２６をスムーズに差し込んで圧接する状態にすることができるように形成されている。すなわち、接断プレート２５、２６がスライド方向に延在する導電性板材を構成して、導体ブロック２１〜２３の電極板２１ｂ〜２３ｂがこの接断プレート２５、２６をスライド可能に挟み込んで圧接接触する所謂、ナイフスイッチを変形した構造に設計されて接断動作を容易に行い得るようになっている。
【００４２】
この導体ブロック２１〜２３は、接断プレート２５、２６の長さと共に互いの相対的な位置関係に応じて電極板２１ｂ〜２３ｂの立設位置が設定されており、本実施形態においては、導体ブロック２１、２２の電極板２１ｂ、２２ｂの双方に導通接続可能に接断プレート２５の長さが設定されているとともに、導体ブロック２２、２３の電極板２２ｂ、２３ｂが接断プレート２５、２６の長さ方向にずれた位置に立設されている。接断プレート２６は、接断プレート２５が導体ブロック２１、２２の電極板２１ｂ、２２ｂの双方に導通接続する状態のまま一方の導体ブロック２１側に移動することにより、導体ブロック２３の電極板２３ｂから離脱する長さに設定されているとともに、反対に、その接断プレート２５が導体ブロック２１の電極板２１ｂから離脱する方向に移動することにより導体ブロック２２の電極板２２ｂと同時に導体ブロック２３の電極板２３ｂに導通接続する長さに設定されている。
【００４３】
接断プレート２５、２６は、導体ブロック２１〜２３が絶縁ケース１２内に位置決め固定されているのに対して、その絶縁ケース１２を閉止する絶縁カバー１３の内面側に立設されている仕切り板３１に固定されており、この仕切り板３１は、導体ブロック２２、２３の間に位置して導体ブロック２１の側面に沿う方向にスライドさせて往復移動させることができるように絶縁ケース１２側に取付支持されている。この接断プレート２５、２６は、断面コの字形状になるように一枚の導電板から切り出して屈折させることにより導通プレート２７の両辺側に連設する状態に形成されており、絶縁カバー１３に対面する姿勢で仕切り板３１に連設されている対面板３２にその導通プレート２７を埋め込むことにより導体ブロック２１〜２３の電極板２１ｂ〜２３ｂ間に差込可能に立設されている。
【００４４】
これにより、接続ユニット１１は、図４（ｂ）に示すように、接断プレート２５、２６を導体ブロック２１〜２３の電極板２１ｂ〜２３ｂの全てに導通接続する状態に絶縁カバー１３をスライドさせることができる。
【００４５】
このため、接続アダプタ１０は、例えば、接続ユニット１１の導体ブロック２１に接続する電力量計１００とは別の電力量計１００´の接続端子台１０２の端子１１１〜１１６に導通接続した電線３０の導電線を、導体ブロック２３の差込穴２３ａ内に差し込んで締付ネジ２８により締め付けることにより導通接続させることができ、２台の電力量計１００、１００´を並列接続することができる。
【００４６】
そして、例えば、図７に示すように、接断プレート２５、２６は、導体ブロック２１側にスライドすることにより、接断プレート２５が導体ブロック２１、２２の電極板２１ｂ、２２ｂに接続して導通を確保しつつ接断プレート２６を導体ブロック２３の電極板２３ｂから離脱させてその導通を遮断することができ、導体ブロック２３を充電状態にすることなく（浮いた状態にしつつ）、配電線２０１〜２０３と引込電線２０４〜２０６に電力量計１００の本体部１０１を導通接続させて電力消費を積算計測する定常状態（定常接続モード）にすることができる。
【００４７】
また、例えば、図８に示すように、接断プレート２５、２６は、導体ブロック２１〜２３の電極板２１ｂ〜２３ｂの全てに導通接続する状態に絶縁カバー１３をスライドさせることにより、これらの間の導通を確保して（切断状態になって電力供給を遮断するタイミングなく）、配電線２０１〜２０３と引込電線２０４〜２０６の間に２つの電力量計１００、１００´を並列状態に導通接続させることができ、その配電線２０１〜２０３から引込電線２０４〜２０６に供給する電力を分流させて一時的に電力消費を双方で積算計測する分流状態（並列接続モード）にすることができる。
【００４８】
さらに、例えば、図９に示すように、接断プレート２５、２６は、導体ブロック２１から離隔させる方向にスライドさせることにより、接断プレート２５を導体ブロック２１の電極板２１ｂから離脱させるとともに、その接断プレート２５を導体ブロック２２の電極板２２ｂに接続させるのと同時に、接断プレート２６を導体ブロック２３の電極板２３ｂに接続させてこの間の導通を確保することができ、導体ブロック２１を充電状態にすることなく、配電線２０１〜２０３と引込電線２０４〜２０６に別個の電力量計１００´の本体部１０１を導通接続させて（切断状態にして電力供給を遮断するタイミングなく）一時的に電力消費を積算計測する代替状態（仮接続モード）にすることができる。
【００４９】
さらに、例えば、図１０に示すように、接断プレート２５、２６は、導体ブロック２１側にスライドさせることにより、導体ブロック２２、２３の電極板２２ｂ、２３ｂから離脱させてその導通を遮断することができ、導体ブロック２１、２３を充電状態にすることなく配電線２０１〜２０３から引込電線２０４〜２０６を切断して電力供給を遮断する切断状態にすることもできる。
【００５０】
すなわち、この接続アダプタ１０は、接断プレート２５が計器側端子と電線側端子の導体ブロック２１、２２の離隔方向に延在してその間の導通接触を接断する主接断部を構成する一方、接断プレート２６は平行に設置されて別回路側端子の導体ブロック２３との間の導通接触を接断する副接断部を構成しており、電力量計１００と配電線２０１〜２０３と引込電線２０４〜２０６の間に介装されることにより、別個の電力量計１００´を準備して上記の各状態を順次にスムーズに切り換えることができ、電力供給を維持しつつその電力消費を連続して積算計測しつつ既設の電力量計１００を切り離した状態にして交換することができる。
【００５１】
簡単にその電力量計１００の交換作業手順（方法）を説明すると、まず、一時的に使用する別個の電力量計１００´を準備してその電力量計１００´の接続端子台１０２と導体ブロック２３とに電線３０を接続しておく。この電力量計１００の交換作業を開始する前には、接続アダプタ１０は、図７に示すように、導体ブロック２１、２２の電極板２１ｂ、２２ｂ同士を接断プレート２５により導通接続させて配電線２０１〜２０３と引込電線２０４〜２０６の間に電力量計１００を介在させて電力の供給と計量を可能にする状態と同時に、導体ブロック２３が接断プレート２６から離隔して無充電状態になる定常状態に選択切換されている。この定常状態から、接続アダプタ１０は、図８に示すように、導体ブロック２１〜２３の電極板２１ｂ〜２３ｂの全てに接断プレート２５、２６を導通接続させて配電線２０１〜２０３と引込電線２０４〜２０６の間に電力量計１００、１００´を並列接続して供給する電力を分流させる分流状態にした後に、図９に示すように、導体ブロック２１の電極板２１ｂから接断プレート２５を離脱させて配電線２０１〜２０３と引込電線２０４〜２０６の間に電力量計１００´のみを介在させる代替状態にすることにより、２台の電力量計１００、１００´により、あるいは１台の電力量計１００´により電力供給を確保しつつその電力消費の計量を継続する。
【００５２】
この状態では、導体ブロック２１は接断プレート２５から離隔して無充電状態であるので、不用意に触れたとしても、感電や地絡短絡などの事故を発生させることなく、そのまま電力量計１００の接続端子台１０２から電線２９を外して、別個の電力量計１００の接続端子台１０２にその電線２９を接続することができ、安全に電力量計１００を交換することができる。
【００５３】
この後には、手順を逆にして、図９に示すように、導体ブロック２２、２３に接断プレート２５、２６を導通接続して配電線２０１〜２０３と引込電線２０４〜２０６の間に介在させる電力量計１００´により電力供給を確保しつつその電力消費の計量を継続する代替状態から、図８に示すように、導体ブロック２１〜２３の電極板２１ｂ〜２３ｂの全てに接断プレート２５、２６を導通接続させて配電線２０１〜２０３と引込電線２０４〜２０６の間に電力量計１００、１００´を並列接続する分流状態を経由した後に、図７に示すように、接断プレート２６を導体ブロック２３の電極板２３ｂから離脱させて無充電状態にするとともに導体ブロック２１、２２の電極板２１ｂ、２２ｂ同士のみを接断プレート２５により導通接続させて配電線２０１〜２０３と引込電線２０４〜２０６の間に電力量計１００を介在させて電力供給と共に電力消費の計量を行う定常状態にする。
【００５４】
この状態では、導体ブロック２３は接断プレート２６から離隔して無充電状態であるので、同様に、不用意に触れたとしても、感電や地絡短絡などの事故を発生させることなく、そのまま電力量計１００´の接続端子台１０２に接続した電線３０を外すことができ、安全に電力量計１００の交換作業を完了することができる。
【００５５】
一方、この接続アダプタ１０は、商用電源の供給契約を一時的に解消する場合などに、その配電線２０１〜２０３から引込電線２０４〜２０６への電力供給を遮断するときには、図１０に示すように、導体ブロック２２、２３の電極板２２ｂ、２３ｂから接断プレート２５、２６を離脱させてその導体ブロック２２、２３に接続されている配電線２０１〜２０３と引込電線２０４〜２０６の間の導通を遮断することができ、商用電源からの電力供給を停止状態にすることができる。
【００５６】
この状態では、導体ブロック２１は、導体ブロック２２、２３から離隔して無充電状態であるので、同様に、不用意に触れたとしても、感電や地絡短絡などの事故を発生させることなく、電線２９を外して電力量計１００を回収することもできる。
【００５７】
ところで、この接続アダプタ１０には、図４に示すように、接断プレート２５の導体ブロック２２側の延長方向の絶縁ケース１２の内面に接続電極３５がその接続ユニット１１毎に、言い換えると、配電線２０１〜２０３と引込電線２０４〜２０６のそれぞれに対応するように配設されている。この接続電極３５は、図１１に示すように、絶縁ケース１２の内面に導通プレート３６〜３８と共に設置されており、その配電線２０１〜２０３と引込電線２０４〜２０６に対応する箇所に配設されているもの同士が導通プレート３６〜３８により導通されている。すなわち、接続電極３５は、電線側短絡端子を構成している。ここで、この接続電極３５は、導体ブロック２１〜２３の電極板２１ｂ〜２３ｂと同様に、図１２に示すように、接断プレート２５端部の側面の両面に圧接して挟み込むように一対の電極板３５ｂが立設されており、この電極板３５ｂは、先端側両端辺が拡開することにより、離脱した接断プレート２５の端部をスムーズに差し込んで圧接する状態にすることができるように形成されている。
【００５８】
これにより、接続ユニット１１は、図９に示す代替状態にした後に、さらに、図１３に示すように、接断プレート２５、２６を導体ブロック２１から離隔させる方向にスライドさせることにより、接断プレート２６と導体ブロック２３の電極板２３ｂとの導通接続を維持したまま、接断プレート２５を接続電極３５の電極板３５ｂに接続させることができ、配電線２０１〜２０３と引込電線２０４〜２０６の間を導通プレート３６〜３８を介して導通接続させるバイパス状態（短絡接続モード）にすることができ、切断状態にして電力供給を遮断することなく、導体ブロック２１に接続する電力量計１００の交換作業を可能にすることができる。
【００５９】
また、この接続アダプタ１０は、絶縁カバー１３をスライド移動させると、導体ブロック２１〜２３および接続電極３５と接断プレート２５、２６との接続を、上記の定常状態（図７）、分流状態（図８）、代替状態（図９）、停止状態（図１０）、バイパス状態（図１１）のいずれかの接続状態に一括して切り換わることから、取付ネジ１３ａを差し込む取付穴１３ｂがその各状態時に絶縁ケース１２のネジ穴１２ａに対応する位置にそれぞれ開口されており、不用意に絶縁カバー１３が移動してしまうことを制限して各状態での導通接続を維持することができるように設計されている。すなわち、ネジ穴１２ａ、取付ネジ１３ａ、取付穴１３ｂが固定手段を構成しており、上記の状態を切り換える絶縁カバー１３を不用意に移動してしまわないように位置決め固定することができ、安全に電力量計１００の交換作業を行い得るようにしている。なお、この絶縁カバー１３は、汎用ドライバで外されてしまうことがないように取付ネジ１３ａのヘッド部に特殊形状のドライバ用穴が形成されているとともに、その両サイド部には封印することができるように封印線の差込用の穴１３ｃ（図４（ａ）を参照）が形成されている。
【００６０】
このように本実施形態においては、電力量計１００の接続端子台１０２に接近または離隔させる方向に絶縁カバー１３をスライド移動させて接断プレート２５、２６を導体ブロック２１〜２３や接続電極３５に接断することにより、電力量計１００を接続する導体ブロック２１を配電線２０１〜２０３や引込電線２０４〜２０６から切り離して（充電部にならない状態にして）その電力量計１００の交換作業を行うことができるとともに、その作業中にも別個の電力量計１００´を一時的に接続して電力供給を維持しつつその電力消費の積算計測を継続することができる。したがって、電力量計１００、１００´の接続切換をミスなく容易に行って、電力供給やその計量を停止することなく、また同時に、感電や地絡短絡などの事故の発生なく、その電力量計１００の交換作業を安全に完了することができる。
【００６１】
次に、図１４〜図１６は、本発明に係る電力量計の接続アダプタの第２実施形態を示す図である。ここで、本実施形態は、上述実施形態と略同様に構成されているので、同様の構成には同一の符号を付して特徴部分のみを説明する。
【００６２】
図１４において、補助アダプタ４０は、電力量計１００の絶縁カバー１０３用のネジ穴１０５を流用することによりその絶縁カバー１０３に代えて、電力量計１００の接続端子台１０２に取り付けることができるように設計されており、その接続端子台１０２の差込穴の開口する下面側にリブ形状４１を当接させた状態にしつつ、ネジ穴１０５に固定用ネジ４２を差し込んで螺合させることにより位置決め固定することができるようになっている。なお、この補助アダプタ４０は、接続端子台１０２に取り付けた状態で、接続アダプタ１０（接続ユニット１１）の導体ブロック２１に導通接続させた電線２９の導電線を差込穴に差し込む作業を妨げてしまわないように、リブ形状４１が接続端子台１０２の差込穴の間に位置するように設計されている。
【００６３】
また、補助アダプタ４０は、接続アダプタ１０の導体ブロック２３に接続する変形可能なリード線の形態に作製されている電線７１ａ〜７３ｂが取り付けられており、その電線７１ａ〜７３ｂの先端には図１５に示す差込プラグ７４が取り付けられている。この差込プラグ７４は、その接続アダプタ１０の導体ブロック２３の差込穴２３ａに差し込むことにより締付ネジ２８で締め付けることなく脱落しない状態に導通接続させることができる。
【００６４】
この補助アダプタ４０は、電力量計１００の接続端子台１０２に取り付けた状態のときに、その入力端子１１１〜１１３と出力端子１１４〜１１６の本体部１０１側に近接する上側の締付ネジ１２１を露出させるのと同時に、その本体部１０１から離隔する下側の締付ネジ１２２を覆うように形成されている接続ブロック４３を備えている。この接続ブロック４３は、その接続端子台１０２の入力端子１１１〜１１３と出力端子１１４、１１６毎の対応する箇所でその下側締付ネジ１２２を螺合させる電極部１２３に圧接して導通接続させることのできる接続接点（接続端子）５１〜５４、５６（図１６も参照）を内装しており、この接続接点５１〜５４、５６に電線７１ａ〜７３ｂがそれぞれ導通接続されている。ここで、接続接点５５は、後述するように電力量計１００の出力端子１１５に接続しなくても電力消費を積算計測可能であるので省略されている（配設してもよいことは言うまでもない）。
【００６５】
具体的には、接続接点５１〜５４、５６は、図１６に示すように、導電性と共に、ある程度の弾性力を有する電極板材料により作製されており、電力量計１００の接続端子台１０２の入力端子１１１〜１１３と出力端子１１４、１１６の下側締付ネジ１２２を螺合させるネジ穴の開口する電極部１２３に対面する対面部６１と、電線７１ａ〜７３ｂのいずれかに導通接続されている接続部６２と、この対面部６１および接続部６２を両端部に形成されてその対面部６１を下方に押し付けることができる程度に弾性変形可能に形成されて取り付けられている導通部６３と、備えている。
【００６６】
そして、接続ブロック４３は、対面部６１の背面側に絶縁性と弾性力を有する樹脂製の押さえネジ４４が進退可能に螺合されており、この押さえネジ４４を締め付ける方向に螺合させることにより、取り付けた電力量計１００の接続端子台１０２の入力端子１１１〜１１３と出力端子１１４、１１６の電極部１２３にその押さえネジ４４が対面部６１を圧接させることができる。
【００６７】
また、この接続ブロック４３の接続接点５１〜５４、５６は、その対面部６１を電線７１ａ〜７３ｂに導通させる接続部６２や導通部６３の大きさをその高さ方向や幅方向に調整することにより、電線７１ａ〜７３ｂをそれぞれ側方から引き出すことができるようになっている。詳細には、接続端子台１０２の最外方に位置する入力端子１１１と出力端子１１４に対面部６１を圧接接続させる接続接点５１、５４の接続部６２と導通部６３は、図１４（ａ）および図１６（ａ）に示すように、本体部１０１に接近するとともにその接続端子台１０２に接近する箇所を電線７１ａ、７１ｂが通過することができるように設計されており、この接続接点５１、５４毎の接続部６２がその電線７１ａ、７１ｂに導通接続されている。また、接続端子台１０２の中央部に位置する入力端子１１３と出力端子１１６に対面部６１を圧接接続させる接続接点５３、５６の接続部６２と導通部６３は、図１４（ａ）および図１６（ｃ）に示すように、本体部１０１から離隔するとともにその接続端子台１０２に接近する箇所を電線７３ａ、７３ｂが通過することができるように設計されており、この接続接点５３、５６毎の接続部６２がその電線７３ａ、７３ｂに導通接続されている。さらに、接続端子台１０２のこれらの入力端子１１１、１１３の間に位置する入力端子１１２に対面部６１を圧接接続させる接続接点５２の接続部６２と導通部６３は、図１４（ａ）および図１６（ｂ）に示すように、本体部１０１から離隔するとともにその接続端子台１０２からも離隔する箇所を電線７２ａ、７２ｂが通過することができるように設計されており、この接続接点５２のみの接続部６２がその電線７２ａ、７２ｂの双方に導通接続されている。ここで、接続端子台１０２の入力端子１１２と出力端子１１５は、電力量計１００における、所謂、中線に接続する端子であり、ここを流れる電流は消費電力として積算計測される訳ではないので、配電線２０１〜２０３と引込電線２０４〜２０６のバイパス（短絡）を確保するために電線７２ａ、７２ｂが直接導通接続されており、出力端子１１５への導通接続を省略していることから接続接点５４も省略している。なお、この電線７２ａ、７２ｂを接続端子台１０２の入力端子１０２に接続接点５２により接続するのは、電力量計１００（電圧コイル）を機能させるために必要だからである。
【００６８】
これにより、補助アダプタ４０は、電力量計１００の接続端子台１０２に取り付けて接続ブロック４３の押さえネジ４４により接続接点５１〜５４、５６の対面部６１を入力端子１１１〜１１３と出力端子１１４、１１６の電極部１２３に圧接させて導通接続することにより、電線７１ａ、７１ｂを接続端子台１０２の入力端子１１１と出力端子１１４に導通接続することができるとともに、電線７３ａ、７３ｂを接続端子台１０２の入力端子１１３と出力端子１１６に導通接続することができ、また、電線７２ａ、７２ｂ同士を導通接続しつつ接続端子台１０２の入力端子１１２に導通接続することができる。したがって、この補助アダプタ４０は、電線７１ａ〜７３ｂの間に別個の電力量計１００´を介在させることができ、その電線７１ａ〜７３ｂの端部の差込プラグ７４を、接続アダプタ１０の複数の接続ユニット１１の導体ブロック２３の差込穴２３ａに差し込んで導通接続することができる。
【００６９】
すなわち、電線７１ａ〜７３ｂは、補助アダプタ４０を電力量計１００´の接続端子台１０２に取り付けることにより、接続アダプタ１０（接続ユニット１１）の導体ブロック２１に導通接続されている電線２９とは別経路の導体ブロック２３を介して、別個の電力量計１００´の入力端子１１１〜１１３と出力端子１１４、１１６にも、配電線２０１〜２０３や引込電線２０４〜２０６を導通接続することができ、接続アダプタ１０の接続されている電力量計１００の接続端子台１０２の入力端子１１１〜１１３と出力端子１１４〜１１６の間に別個の電力量計１００´を並列接続することにより供給電力の電力消費を分流して、あるいは単独でも積算計測（計量）することを可能にする。
【００７０】
そして、この補助アダプタ４０は、電線７１ａ〜７３ｂが変形可能なリード線であることから、別個の電力量計１００´の接続端子台１０２に取り付けるとともに、その電線７１ａ〜７３ｂを接続アダプタ１０（接続ユニット１１）の導体ブロック２３の差込穴２３ａに差し込んで導通接続させている状態のまま、例えば、その接続ユニット１１の導体ブロック２１に導通接続されている電線２９により接続される電力量計１００の本来の設置位置に移動させることができ、その電力量計１００を電力量計１００´に交換することができる。
【００７１】
簡単にその電力量計１００の交換作業手順（方法）を説明すると、まず、一時的に使用する新規の電力量計１００´を準備して、その接続端子台１０２の入力端子１１１〜１１３と出力端子１１４〜１１６の下側締付ネジ１２２を外した状態で補助アダプタ４０を取り付けることによりその入力端子１１１〜１１３と出力端子１１４、１１６に電線７１ａ〜７３ｂを接続する。また、その補助アダプタ４０は、図７に示す定常状態に選択切換されていることにより、配電線２０１〜２０３や引込電線２０４〜２０６を既設の電力量計１００の接続端子台１０２の入力端子１１１〜１１３と出力端子１１４〜１１６に接続する接続アダプタ１０の接続ユニット１１にあって、無充電状態にある導体ブロック２３の差込穴２３ａに電線７１ａ〜７３ｂの差込プラグ７４を差し込んで導通接続する。
【００７２】
この後には、上述実施形態と同様に、図８に示す分流状態に切り換えて、配電線２０１〜２０３と引込電線２０４〜２０６の間に電力量計１００、１００´を並列接続した後に、図９に示す代替状態に切り換えて、既設の電力量計１００を接続する導体ブロック２１を無充電状態にするとともに、配電線２０１〜２０３と引込電線２０４〜２０６の間に新規の電力量計１００´のみを介在させることにより、電力供給を維持しつつその電力消費の計量も継続する。次いで、既設の電力量計１００の接続端子台１０２の締付ネジ１２１、１２２を緩めることにより、接続アダプタ１０の導体ブロック２１に接続されている電線２９の導電線を、その入力端子１１１〜１１３と出力端子１１４〜１１６の差込穴から引き抜いて、その既設の電力量計１００を設置位置から取り外す。
【００７３】
次いで、新規の電力量計１００´の接続端子台１０２の上側締付ネジ１２１を緩めるとともに、既設の電力量計１００を外した本来の設置位置にその電力量計１００´を移動させて、接続アダプタ１０の導体ブロック２１に接続されている電線２９の導電線をその入力端子１１１〜１１３と出力端子１１４〜１１６の差込穴に差し込んだ後にその上側締付ネジ１２１を締め付けることにより、その接続アダプタ１０の導体ブロック２１に導通接続する。このとき、補助アダプタ４０の電線７１ａ〜７３ｂは、接続ブロック４３の側方から延長されて自由に屈曲変形することにより、下方の接続アダプタ１０側に重なって電線２９の導電線を入力端子１１１〜１１３と出力端子１１４〜１１６の差込穴に差し込む作業に邪魔になってしまうことがなく、また、上側締付ネジ１２１は、補助アダプタ４０の接続ブロック４３から露出する状態であることから容易に回転操作して螺合させることができ、信頼性高く締め付けてその導電線を入力端子１１１〜１１３と出力端子１１４〜１１６に導通接続させることができる。
【００７４】
この後には、手順を逆にして、図９に示す代替状態から図８に示す分流状態を経由して、図７に示す定常状態に戻すことにより、配電線２０１〜２０３と引込電線２０４〜２０６の間に導体ブロック２１、２２や接断プレート２５を介して新規の電力量計１００´を介在させて電力の供給と計量を継続するとともに、導体ブロック２３を無充電状態にする。次いで、その電力量計１００´の接続端子台１０２から補助アダプタ４０を外した後に、その導体ブロック２３の差込穴２３ａから電線７１ａ〜７３ｂの差込プラグ３４を引き抜いて、その接続端子台１０２の入力端子１１１〜１１３と出力端子１１４〜１１６の下側締付ネジ１２２を螺合させて接続ユニット１１の導体ブロック２１に接続されている電線２９の導電線を確実に導通接続させた状態にし、この電力量計１００の交換作業を完了する。
【００７５】
このように本実施形態においては、上述実施形態による作用効果に加えて、新規に取り付ける電力量計１００´の接続端子台１０２に補助アダプタ４０を取り付けることにより、導体ブロック２３の差込穴２３ａに電線７１ａ〜７３ｂの差込プラグ７４を差し込み・引き抜きするだけで容易に接断することができ、また、既設の電力量計１００を外した設置位置にそのまま新規の電力量計１００´を移動させて導体ブロック２１の電線２９に容易に接続して取り付けることができる。したがって、代替用の電力量計を準備することなく、その交換作業を行うことができ、その交換時に代替利用した電力量計をそのまま継続して電力消費の計量に利用することができる。
【００７６】
ここで、上述の第１実施形態では、代替専用の電力量計１００´を用いて既設の電力量計１００を交換する場合を説明するが、本実施形態で説明する補助アダプタ４０を利用して、その電線７１ａ〜７３ｂの差込プラグ７４を接続アダプタ１０の導体ブロック２３に接続するとともに、既設の電力量計１００の接続端子台１０２にその補助アダプタ４０を取り付けることにより、代替専用の電力量計１００´を準備することなく、接続アダプタ１０の接続ユニット１１を図９に示す代替状態から図１３に示すバイパス状態にした後に、その既設の電力量計１００の交換作業を可能にすることもできる。
【００７７】
また、上述の第１、第２実施形態では、接続電極３５を備えることにより、図９に示す代替状態と図１３に示すバイパス状態を選択切換することができるように構築する場合を一例として説明するが、これに限るものではなく、その接続電極３５や導通プレート３６〜３８の配設を省略して、代わりに、導体プレート３６〜３８と同様の回路が絶縁材料内にモールドされている部品を導体ブロック２３に着脱可能にすることにより、分流状態から代替状態にするか、それともバイパス状態にそのまま切換可能にするか選択して、電力量計の交換作業を行い得るように設計することもできる。
【００７８】
さらに、上述の第１、第２実施形態のいずれでも、電源側からの商用電力を供給する電源側配電線２０１〜２０３と、その商用電力を各家庭などの負荷装置に接続する引込側配電線２０４〜２０６と、の間に介装することによりその負荷装置で使用する消費電力を積算計測する電力量計１００を一例にして説明するが、これに限るものではない。図示することは省略するが、配電線に直接接続する変圧器（ＶＴ）やその配電線に間接接続する変流器（ＣＴ）により構成される計器用変圧変流器（変成器ＶＣＴ）と組み合わせて利用する電力量計においても利用することができ、接続アダプタ１０や補助アダプタ４０もその接続端子台の各端子に対応するように形成することにより、上述実施形態と同様に電力量計を並列させて交換することができる。なお、この計器用変圧変流器を利用する電力量計は、誤結線があったり、電流回路への配線を誤って外してしまうと、その変成器に絶縁破壊や焼損を発生させてしまう虞があることから、接続アダプタ１０と補助アダプタ４０の電線のそれぞれに対応する色を付けるなどして誤結線を防止したり、また、その接続アダプタ１０の導体ブロック２３の差込穴２３ａの並列間隔を不均一間隔にするとともに補助アダプタ４０の電線先端の差込プラグ７４をその不均一な並列間隔に一致するように樹脂などにより一体化させて一度に接断させることができるようにしてもよい。
さらにまた、上述の第１、第２実施形態のいずれでも、電力量計の接続端子台に別途取り付ける接続アダプタ１０の形態を採用するが、これに限るものではなく、この接続アダプタ１０を直接電力量計１００の本体部１０１に接続端子台として連設してもよい。この場合には、本体部１０１のみを交換する構造にも適用することができ、第２実施形態のように補助アダプタ４０を用いることなく、両端側に差込プラグ７４を備える電線を準備するだけで電力の供給と計量を継続しつつ安全に電力量計の交換作業を行い得るようにすることができる。
【産業上の利用可能性】
【００７９】
これまで本発明の一実施形態について説明したが、本発明は上述の実施形態に限定されず、その技術的思想の範囲内において種々異なる形態にて実施されてよいことは言うまでもない。
【符号の説明】
【００８０】
１０……接続アダプタ    １１……接続ユニット    １２……絶縁ケース    １２ａ……ネジ穴    １３……絶縁カバー    １３ａ……取付ネジ    １３ｂ……取付穴    ２１〜２３……導体ブロック    ２１ａ〜２３ａ……差込穴    ２１ｂ〜２３ｂ、３５ｂ……電極板    ２５、２６……接断プレート    ２７、３６〜３８……導体プレート    ２９、３０、７１ａ〜７３ｂ……電線    ３１……仕切り板    ３５……接続電極    ４０……補助アダプタ    ４１……リブ形状    ４２……固定用ネジ    ４３……接続ブロック    ４４……押さえネジ    ５１〜５４、５６……接続接点    ６１……対面部    ６２……接続部    ６３……導通部    ７４……差込プラグ    １００……電力量計    １０１……本体部    １０２……接続端子台    １０３……絶縁カバー    １０４……取付ネジ    １０５……ネジ穴    １１１〜１１３……入力端子    １１４〜１１６……出力端子    １２１……上側締付ネジ    １２２……下側締付ネジ    １２３……電極部    ２０１〜２０３……配電線    ２０４〜２０６……引込電線
【図１】
2011209304.tif 000003
【図２】
2011209304.tif 000004
【図３】
2011209304.tif 000005
【図４】
2011209304.tif 000006
【図５】
2011209304.tif 000007
【図６】
2011209304.tif 000008
【図７】
2011209304.tif 000009
【図８】
2011209304.tif 000010
【図９】
2011209304.tif 000011
【図１０】
2011209304.tif 000012
【図１１】
2011209304.tif 000013
【図１２】
2011209304.tif 000014
【図１３】
2011209304.tif 000015
【図１４】
2011209304.tif 000016
【図１５】
2011209304.tif 000017
【図１６】
2011209304.tif 000018
【手続補正書】
【提出日】平成23年7月19日(2011.7.19)
【手続補正１】
【補正対象書類名】特許請求の範囲
【補正対象項目名】請求項１
【補正方法】変更
【補正の内容】
【請求項１】
電源からの商用電力を消費先に供給する配電線に設置されて当該消費電力を積算する電力量計に接続する接続アダプタであって、
電力量計側に接続する計器側端子と、配電線側を接続する電線側端子と、別個の回路を導通接続される別回路側端子と、これら端子間の導通を接断する接断手段と、を備えており、
該接断手段は、各端子の配列方向にスライド可能に取り付けられている導電性板材をスライドさせることにより各種端子間を接断するように構成されて、計器側端子および電線側端子の間を導通させる定常接続モードと、計器側端子、電線側端子および別回路側端子の間を導通させる並列接続モードと、電線側端子および別回路側端子の間を導通させる仮接続モードと、のいずれかに選択切換するスイッチ形態に設計され、
計器側端子と電線側端子は、互いに導電性板材のスライド方向に離隔する位置に配設されているとともに、別回路側端子は、電線側端子に隣接する位置に配設されて、
当該導電性板材は、計器側端子と電線側端子の離隔方向に延在して該端子同士の間の導通接触を接断する主接断部と、該主接断部と平行に延在して別回路側端子との間の導通接触を接断する副接断部と、を備えることを特徴とする電力量計の接続アダプタ。
【手続補正２】
【補正対象書類名】特許請求の範囲
【補正対象項目名】請求項２
【補正方法】変更
【補正の内容】
【請求項２】
前記各種端子および接断手段は、導電性板材の副接断部が別回路側端子に導通接触した後に主接断部が計器側端子から離隔する一方、主接断部が計器側端子に導通接触した後に副接断部が別回路側端子から離隔するように設計されて、
定常接続モードと仮接続モードとの間で並列接続モードを経由して切換接続を実行する位置関係に配設されていることを特徴とする請求項１に記載の電力量計の接続アダプタ。
【手続補正３】
【補正対象書類名】特許請求の範囲
【補正対象項目名】請求項４
【補正方法】変更
【補正の内容】
【請求項４】
前記電線側短絡端子が計器側端子の反対側で電線側端子に隣接する位置に配設される一方、
前記各種端子および接断手段は、導電性板材の主接断部が該電線側短絡端子に導通接触した後に、計器側端子から離隔する、あるいは、副接断部が別回路端子から離隔するように設計されて、少なくとも定常接続モード、並列接続モードまたは仮接続モードのいずれかと同時に短絡接続モードを実行した後に、該短絡接続モードのみに移行する切換接続の可能な位置関係に配設されていることを特徴とする請求項３に記載の電力量計の接続アダプタ。
【手続補正４】
【補正対象書類名】明細書
【補正対象項目名】０００９
【補正方法】変更
【補正の内容】
【０００９】
上記課題を解決する電力量計の接続アダプタの第１の発明は、電源からの商用電力を消費先に供給する配電線に設置されて当該消費電力を積算する電力量計に接続する接続アダプタであって、電力量計側に接続する計器側端子と、配電線側を接続する電線側端子と、別個の回路を導通接続される別回路側端子と、これら端子間の導通を接断する接断手段と、を備えており、該接断手段は、計器側端子および電線側端子の間を導通させる定常接続モードと、計器側端子、電線側端子および別回路側端子の間を導通させる並列接続モードと、電線側端子および別回路側端子の間を導通させる仮接続モードと、のいずれかに選択切換するスイッチ形態に設計されていることを特徴とするものである。
この接断手段は、各端子の配列方向にスライド可能に取り付けられている導電性板材をスライドさせることにより各種端子間を接断するように構成されて、計器側端子および電線側端子の間を導通させる定常接続モードと、計器側端子、電線側端子および別回路側端子の間を導通させる並列接続モードと、電線側端子および別回路側端子の間を導通させる仮接続モードと、のいずれかに選択切換するスイッチ形態に設計され、計器側端子と電線側端子は、互いに導電性板材のスライド方向に離隔する位置に配設されているとともに、別回路側端子は、電線側端子に隣接する位置に配設されて、当該導電性板材は、計器側端子と電線側端子の離隔方向に延在して該端子同士の間の導通接触を接断する主接断部と、該主接断部と平行に延在して別回路側端子との間の導通接触を接断する副接断部と、を備えていてもよい。
【手続補正５】
【補正対象書類名】明細書
【補正対象項目名】００１１
【補正方法】変更
【補正の内容】
【００１１】
上記課題を解決する電力量計の接続アダプタの第２の発明は、上記第１の発明の特定事項に加え、前記各種端子および接断手段は、定常接続モードと仮接続モードとの間で並列接続モードを経由して切換接続を実行する位置関係に配設されていることを特徴とするものである。
この各種端子および接断手段は、導電性板材の副接断部が別回路側端子に導通接触した後に主接断部が計器側端子から離隔する一方、主接断部が計器側端子に導通接触した後に副接断部が別回路側端子から離隔するように設計されていてもよい。
【手続補正６】
【補正対象書類名】明細書
【補正対象項目名】００１５
【補正方法】変更
【補正の内容】
【００１５】
上記課題を解決する電力量計の接続アダプタの第４の発明は、上記第３の発明の特定事項に加え、前記各種端子および接断手段は、少なくとも定常接続モード、並列接続モードまたは仮接続モードのいずれかと同時に短絡接続モードを実行した後に、該短絡接続モードのみに移行する切換接続の可能な位置関係に配設されていることを特徴とするものである。
この電線側短絡端子が計器側端子の反対側で電線側端子に隣接する位置に配設される一方、各種端子および接断手段は、導電性板材の主接断部が該電線側短絡端子に導通接触した後に、計器側端子から離隔する、あるいは、副接断部が別回路端子から離隔するように設計されていてもよい。